(57)【要約】  くず、おむつ、および入れておく必要がある任意の物品を保持するための袋。袋は、封入本体と口開口部とを有することができ、開口部は折畳み可能なフレームで裏打ちされている。折畳み可能なフレームは開いて、口開口部を開構成に保つことができ、それ自体上に畳まれて、口開口部を閉構成に保つことができる。折畳み可能なフレームは、任意選択で、係止ノッチ、指部、または両方を有することができ、それらはすべて、封入本体の何らかの部分に取り付けられるために使用することができ、それにより袋のネック部がねじれて閉じた状態に保たれる。袋は、任意選択で、係止ノッチに固定されるための、孔、スリーブ、ストリップ、およびループなどの取付け点を有することができる。いくつかの実施形態では、カラーは、折畳み可能である必要はない。
2018527270.tif 000002
【特許請求の範囲】
【請求項１】
廃棄物容器用の使い捨て可能な袋であって、
内部空間を有する本体部分と、
前記本体部分に結合されたネック部分と、
前記使い捨て可能な袋の、前記ネック部分に結合された上側リムによって画成される口開口部と、
前記上側リム上にまたはその近くに、前記上側リムの全円周に沿って固定されたカラーと、
を備え、
前記カラーが、指部および係止ノッチのうちの少なくとも１つを有することを特徴とする、袋。
【請求項２】
請求項１に記載の袋であって、前記カラーが、折畳み可能であるように構成され、連続して連結された少なくとも２つのカラー本体から成ることを特徴とする、袋。
【請求項３】
請求項２に記載の袋であって、前記カラー本体が、折畳み線を介して互いに枢動可能に連結された平坦なパネルであり、前記カラー本体が、開いて同一平面の構成になり、それにより前記袋の前記口開口部を開構成に保つように構成され、前記カラー本体は、前記カラー本体が互いに平行になるように折り畳まれて畳まれた構成になり、それにより前記袋の前記口開口部を閉構成に保つようにも構成されることを特徴とする、袋。
【請求項４】
請求項３に記載の袋であって、前記カラー本体が前記畳まれた構成であるとき、４つの前記カラー本体が、２つの前記カラー本体の間に挟まれることを特徴とする、袋。
【請求項５】
請求項１に記載の袋であって、前記カラーが、前記廃棄物容器の上部と分離可能な係合を成すように構成された受け構造部を有することを特徴とする、袋。
【請求項６】
請求項５に記載の袋であって、前記受け構造部が、前記カラー上に少なくとも１つの貫通穴を含むことを特徴とする、袋。
【請求項７】
請求項１に記載の袋であって、前記本体部分が、前記指部を受けるように構成された少なくとも１つの捕捉部材を有し、前記捕捉部材が、孔、補強された孔、スリーブ、ストリップ、およびループから成るグループから選択されることを特徴とする、袋。
【請求項８】
請求項７に記載の袋であって、前記係止ノッチが、
（ａ）Ｔ形状の切欠き部
（ｂ）Ｌ形状の切欠き部
（ｃ）凹形状構造部の内側空所よりも入口のほうが狭い凹形状構造部
のうちの少なくとも１つであることを特徴とする、袋。
【請求項９】
請求項８に記載の袋であって、前記カラーが予め印付けされた折畳み線を有し、前記カラー本体が、互いに対して折畳み可能であることを特徴とする、袋。
【請求項１０】
廃棄物容器用の使い捨て可能な袋であって、
内部空間を有する本体部分と、
前記本体部分に結合されたネック部分と、
前記使い捨て可能な袋の、前記ネック部分に結合された上側リムによって画成される開口部と、
前記上側リムにまたはその近くに、前記上側リムの全円周に沿って結合されたカラーと、
を備え、
前記本体部分が、孔、補強された孔、スリーブ、ストリップ、およびループから成るグループから選択された少なくとも１つの捕捉部材を有することを特徴とする、袋。
【請求項１１】
請求項１０に記載の袋であって、前記カラーが、平らであり折畳み線を介して互いに連結された少なくとも２つのカラー本体を有し、前記カラーが、少なくとも１つの貫通穴を有することを特徴とする、袋。
【請求項１２】
請求項１０に記載の袋であって、前記カラーが、互いの上に畳まれ他の２つのカラー本体の間に挟まれるように構成された少なくとも４つのカラー本体を有することを特徴とする、袋。
【請求項１３】
請求項１１に記載の袋であって、前記カラー本体のうちの１つが、係止ノッチを有することを特徴とする、袋。
【請求項１４】
請求項１１に記載の袋であって、前記係止ノッチが、指部および受けチャネルを有することを特徴とする、袋。
【請求項１５】
廃棄物容器と使い捨て可能な袋とを使用した廃棄物管理方法であって、前記使い捨て可能な袋が、折畳み線を介してそれぞれが互いに枢動可能に折畳み可能な少なくとも２つのカラー本体をもつ折畳み可能なカラーを有し、前記折畳み可能なカラーが係止ノッチを有する、方法において、
前記使い捨て可能な袋の本体部分を前記廃棄物容器内に置くステップと、
前記廃棄物容器の上部を覆うように前記折畳み可能なカラーを置くステップと、
前記折畳み可能なカラーを前記廃棄物容器の前記上部に固定し、それにより前記折畳み可能なカラーが前記廃棄物容器に対して回転しないようにするステップと、
前記折畳み可能なカラーを前記廃棄物容器の前記上部に固定し、それにより前記折畳み可能なカラーが前記廃棄物容器の前記上部から係合解除しないようにするステップと、
前記折畳み可能なカラーを、前記廃棄物容器の前記上部から解放するステップと、
前記袋の一部分を前記係止ノッチに接触して係合させることによって、前記袋のネック部をねじれた構成に保つステップと、
を備えることを特徴とする、方法。
【請求項１６】
請求項１５に記載の方法であって、
前記廃棄物容器から前記袋を取り除くステップと、
前記カラー本体をそれ自体上に折り畳むステップと
をさらに備え、
前記袋の、前記係止ノッチに接触して係合する前記一部分が、前記袋のねじれたネック部であることを特徴とする、方法。
【請求項１７】
請求項１６に記載の方法であって、前記袋の、前記係止ノッチに接触して係合する前記一部分が、前記袋の前記本体部分に位置付けられた捕捉部材であることを特徴とする、方法。
【請求項１８】
請求項１７に記載の方法であって、前記捕捉部材が、孔、補強された孔、スリーブ、ストリップ、およびループから成るグループから選択された少なくとも１つの部材であることを特徴とする、方法。
【請求項１９】
請求項１７に記載の方法であって、前記折畳み可能なカラーか前記袋の前記本体かのいずれかを回転させることによって、前記袋の前記ネック部をねじるステップをさらに備えることを特徴とする、方法。
【請求項２０】
請求項２９に記載の方法であって、前記固定するステップが、前記折畳み可能なカラー上に少なくとも１つの貫通孔を提供するステップと、前記廃棄物容器の上部の一部分を、前記貫通穴に挿入するステップとを含むことを特徴とする、方法。
【発明の詳細な説明】
【技術分野】
【０００１】
本開示の分野は袋封入であり、より具体的には、おむつペールなどの廃棄物容器のための袋である。
【背景技術】
【０００２】
本願は、米国特許出願第１４／４７３，７７６号に基づいて優先権を主張し、当該米国特許出願の一部継続出願である。米国特許出願第１４／４７３，７７６号は、米国特許出願第１４／４７３，６８５号の一部継続出願であり、当該両米国特許出願は双方とも、２０１４年８月２９日に出願され、現在係属中である。当該両米国特許出願は、その全体が、参照により本願に組み込まれる。その全体が参照により本願に組み込まれるが、これらの特許出願においてなされた意見またはディスクレーマは、この一部継続出願には当てはまらない。上記に参照された出願の手続処理中に生じ得たいかなるディスクレーマも、ここに明示的に無効とされる。その結果、特許庁は、特許庁が適切とみなす記録の先行技術のすべておよび任意の調査に鑑み、新しい特許請求の範囲を審査するように求められる。
【０００３】
日常生活において様々なタイプのごみ袋が知られており、使用されている。典型的には、ごみ袋はプラスチックシートから作られる。先行技術のごみ袋では、袋の口に締付けひもがあり、必要なときに使用者が袋を閉じた状態で締付けることが可能になる。
【０００４】
袋を閉じる別の方法は、結び目を作ることを含み、ごみ袋が一杯になったときにごみ袋を閉じるための新しい方法が引き続き必要とされている。
【０００５】
すべての参照された特許、出願、および文献は、参照によりその全体が本明細書に組み込まれる。さらに、参照により本明細書に組み込まれる参照における用語の定義または使用が、本明細書において提供されるその用語の定義と矛盾しているまたは相容れない場合には、本明細書において提供されるその用語の定義が適用され、参照にけるその用語の定義は適用されない。本開示は、上述した要望の１つまたは複数を満足することを追求し得る。本開示は、上述した要望の１つまたは複数を除去してもよいが、本開示のいくつかの態様が、必ずしもそれらを除去しなくてもよいことを理解すべきである。
【先行技術文献】
【特許文献】
【０００６】
【特許文献１】米国特許第１６３３号明細書
【特許文献２】米国特許出願公開第２００８/０３１０７７２号明細書
【特許文献３】米国特許出願公開第２００７/００３１０６８号明細書
【特許文献４】米国特許第５０６１０８６号明細書
【発明の概要】
【課題を解決するための手段】
【０００７】
本開示の一態様は、おむつペールシステムに素早く容易に設置することが意図された必要な器材を有する使い捨て可能な袋組立体を対象とする。本開示の別の態様では、使い捨て可能な袋組立体は、特定のおむつペールのためだけでなく、使い捨て可能な袋のカラー構造部がごみ箱の上側リム上に嵌るように適切にサイズ設定および形状設定される限り、ごみ箱での使用のためにも全般的に受け入れられる。いくつかの他の実施形態では、本開示は、折畳み可能なカラーを有する使い捨て可能な袋を対象とし、カラーは、それ自体上に畳むことができ、袋のネック部をねじれて閉じられた構成に保つことに役立つ受け構造部を有し、それにより袋を効果的に封止する。
【０００８】
１つの企図される実施形態では、受け構造部は、カラーの様々な部分に位置付けることができる係止ノッチである。ノッチは、袋のねじれたネック部の周りまたは袋の別の部分の周りに引っかかるための捕捉部としての役割を果たす切欠き部とすることができる。動作中、使用者は袋を廃棄物容器から取り外し、カラーを折り畳み、次いで係止ノッチを使用して袋をねじれて閉じられた構成に保つことになる。
【０００９】
本開示の様々な目的、特徴、態様、および利点は、本開示の好ましい実施形態の以下の詳細な記述とともに、同様の参照符号が同様の構成要素を表す添付図面から、さらに明らかになろう。
【００１０】
図面は簡略化された形態であり、原寸に正確に比例していない場合もあることに留意すべきである。本明細書における開示を参照する際、都合よく、わかりやすくすることだけを目的として、上部、下部、左、右、上、下、〜の上、上方、〜の下、下方、後方、前方、遠位、および近位などの指向性の用語は、添付図面に対して使用される。そのような指向性の用語は、いかなる態様においても、本開示の範囲を制限するとみなされるべきではない。
【図面の簡単な説明】
【００１１】
【図１】袋の円形口開口部を示すために９０度傾斜した折畳み可能なカラーを有する使い捨て可能な袋の実施形態の側面図である。
【図２】封入本体を示していない折畳み可能なカラーの一実施形態の傾斜した上方斜視図である。
【図３】封入本体を示していない折畳み可能なカラーの別の実施形態の傾斜した上方斜視図である。
【図４】封入本体を示していない折畳み可能なカラーのさらに別の実施形態の傾斜した上方斜視図である。
【図５】折畳み可能なカラー、および封入本体上の補強された孔の側面図を示す一実施形態の側面図である。
【図６】企図される折畳み可能なカラーを受けるための上部を示すおむつペールの上方斜視図である。
【図７】使い捨て可能な袋の一実施形態が設置され、ねじれたネック部が見える状態のおむつペールの上方斜視図である。
【図８Ａ】ねじれたネック部を有する使い捨て可能な袋の一実施形態の斜視図である。
【図８Ｂ】ねじれたネック部が係止ノッチ内に受けられる図８Ａの実施形態の斜視図である。
【図９Ａ】同じくねじれたネック部を有するが、そのねじれたネック部が折畳み可能なカラーの後ろの隠れている使い捨て可能な袋の一実施形態の斜視図である。この図は、折畳み可能なカラーの指部が封入本体の孔と係合している様子を示す。
【図９Ｂ】同じくねじれたネック部を有するが、そのねじれたネック部が折畳み可能なカラーの後ろの隠れている使い捨て可能な袋の別の実施形態の斜視図である。この図は、折畳み可能なカラーの指部が封入本体のスリーブと係合している様子を示す。
【図９Ｃ】同じくねじれたネック部を有するが、そのねじれたネック部が折畳み可能なカラーの後ろの隠れている使い捨て可能な袋のさらに別の実施形態の斜視図である。この図は、折畳み可能なカラーの係止ノッチが封入本体のストリップと係合している様子を示す。
【図９Ｄ】同じくねじれたネック部を有するが、そのねじれたネック部が折畳み可能なカラーの後ろの隠れている使い捨て可能な袋のさらなる実施形態の斜視図である。この図は、折畳み可能なカラーの指部が封入本体のループと係合している様子を示す。
【図１０】図９Ａの実施形態の斜視図であり、折畳み可能なカラーが畳まれて、ねじれたネック部を示している図である。
【図１１】６つのカラー本体を採用した折畳み可能なカラーの図である。
【図１２】５つのカラー本体を採用した折畳み可能なカラーの図である。
【図１３】４つのカラー本体を採用した折畳み可能なカラーの図である。
【図１４Ａ】凹形状の構造部を有する係止ノッチの図である。
【図１４Ｂ】Ｌ形状の構造部を有する係止ノッチの図である。
【図１４Ｃ】Ｔ形状の構造部を有する係止ノッチの図である。
【図１５】いかなる折畳み線もないカラーを有する使い捨て可能な袋の特定の一実施形態を示し、カラーが廃棄物容器から係合解除されている図である。
【図１６】いかなる折畳み線も必要とすることなく、短い円形壁によって画成された円形開口部を通過することができるように変形された柔軟性のあるカラーを示す図である。
【図１７】カラーを曲げるまたは折り畳む必要なく廃棄物容器の上部のスロット開口部をカラーが通り抜けることができるので、いかなる折畳み線もないカラーを有する使い捨て可能な袋を示す図である。
【発明を実施するための形態】
【００１２】
本開示およびその様々な実施形態は、特許請求の範囲に定義される本開示の例示的な例として提示される好ましい実施形態の以下の詳細な記述に目を向けることによって、ここでよりよく理解することができる。特許請求の範囲によって定義されるような本開示は、以下に示される例示的な例よりも広い範囲にわたってもよいことが、明示的に理解される。
【００１３】
本開示およびその様々な実施形態を記述するために本明細書において使用される用語は、それらの一般的に定義された意味という意味合いのみではなく、一般的に定義された意味の範囲を超えて本明細書の構造、材料、または行為における特別な定義による意味も含むものと理解される必要がある。したがって、本明細書の文脈において２つ以上の意味を含むものとしてある要素を理解することができる場合、特許請求の範囲におけるその使用は、本明細書によって支持される意味と言葉それ自体によって支持される意味とのすべての可能なものに対して包括的であるものとして理解されなくてはならない。
【００１４】
したがって、以下の特許請求の範囲の用語または要素の定義は、文字通りに記述される要素の組合せのみならず、実質的に同じ結果を得るための実質的に同じ方法において実質的に同じ機能を果たすすべての等価な構造、材料、または行為を含む。したがって、この意味合いにおいて、以下の特許請求の範囲における要素のうちの任意のものに関して２つ以上の要素の等価な置換が行なわれてもよいこと、または単一の要素を特許請求の範囲において２つ以上の要素と置換してもよいことが企図される。要素は特定の組合せで作用するものとして上述されてもよく、さらにそのように当初特許請求されるが、場合によっては、特許請求される組合せからの１つまたは複数の要素を、その組合せから削除可能であること、および、特許請求される組合せを、副次的組合せまたは副次的組合せの変形に導いてもよいことが、明示的に理解されるべきである。
【００１５】
図１に関して、くず、使用済みおむつ、および任意の他のごみを保持するための内部空間をもつ封入本体１８０を有する、企図される使い捨て可能な袋１００が示される。袋１００は、本体部分に結合されたネック部分１８９を有することができ、ネック部分は、開口部１１０（すなわち口）と、本体部分１８０の内部空間との間の導管として作用する。ネック部分１８９は「ネック」と呼ばれるが、必ずしも本体部分１８０より狭くなくてもよい。ネック部分１８９は、開口部１１０の下で本体部分１８０の上に概して位置付けられる袋１００の区分を単に意味するだけである。
【００１６】
開口部１１０は、使い捨て可能な袋１００の上側リムによって画成され、上側リムは、ネック部分１８９の上にありそれに結合されている。使い捨て可能な袋１００の上側リムは、折畳み可能なカラー１２０に結合されている。この折畳み可能なカラーは、上側リムに直に恒久的に結合してもよく、または上側リムの近くで袋１００に結合してもよい。ほとんどの実施形態では、袋１００は、上側リムの全円周に沿って折畳み可能なカラー１２０に結合される。
【００１７】
折畳み可能なカラー１２０の目的は、結合器として作用することであり、それにより折畳み可能なカラー１２０を受ける対応した構造部を有する廃棄物容器に、使い捨て可能な袋１００を分離可能に取り付けることができる。
【００１８】
ここで図２を参照すると、円型に互いに連続して結合した６つのカラー本体１２３Ａ、１２３Ｂ、１２３Ｃ、１２３Ｄ、１２３Ｅ、１２３Ｆを有する折畳み可能なカラー１２０の実施形態が提供される。これらのカラー本体１２３Ａ、１２３Ｂ、１２３Ｃ、１２３Ｄ、１２３Ｅ、１２３Ｆは、２つの隣接したカラー本体が、互いに対して容易に枢動できるように、予め印付けされた折畳み線１２１Ａ、１２１Ｂ、１２１Ｃ、１２１Ｄ、１２１Ｅ、１２１Ｆを介して連結される。これらのカラー本体は、任意の天然および／または合成材料から作られてもよく、厚紙から作ることもできる。当業者であれば、様々なタイプの材料を使用してそのような折畳み可能なカラー１２０を製造する多くのやり方があることを、すぐに認識するであろう。
【００１９】
本開示の図１、図２、図３、図４、図７、図８Ａ、図８Ｂ、図９Ａ、図９Ｂ、図９Ｃ、図９Ｄ、図１０、および図１１は、６つのカラー本体１２３Ａ、１２３Ｂ、１２３Ｃ、１２３Ｄ、１２３Ｅ、１２３Ｆを有する折畳み可能なカラー１２０の実施形態を示すが、任意の数のカラー本体が実現可能であることに特に留意すべきである。一実施形態では、折畳み可能なカラーは、少なくとも２つのカラー本体を有することができる。別の実施形態では、折畳み可能なカラーは、５つのカラー本体を有することができる（図１２を参照）。さらに別の実施形態では、折畳み可能なカラーは、４つのカラー本体を有することができる（図１３を参照）。図１１、図１２、および図１３は、様々な数のカラー本体が、どのようにそれ自体上に畳まれるかを示す。
【００２０】
ほとんどの実施形態では、カラー本体１２３Ａ、１２３Ｂ、１２３Ｃ、１２３Ｄ、１２３Ｅ、１２３Ｆは、上記で議論したように折畳み線１２１Ａ、１２１Ｂ、１２１Ｃ、１２１Ｄ、１２１Ｅ、１２１Ｆを介して互いに枢動可能に連結される平坦なパネルである。カラー本体１２３Ａ、１２３Ｂ、１２３Ｃ、１２３Ｄ、１２３Ｅ、１２３Ｆは、開いて同一平面構成になるように構成され、それにより、袋１００の口開口部１１０を、図１、図８Ａ、図８Ｂ、図９Ａ、図９Ｂ、図９Ｃ、および図９Ｄに示されるように開構成に保つ。カラー本体１２３Ａ、１２３Ｂ、１２３Ｃ、１２３Ｄ、１２３Ｅ、１２３Ｆは、カラー本体１２３Ａ、１２３Ｂ、１２３Ｃ、１２３Ｄ、１２３Ｅ、１２３Ｆが最終的には実質的に互いに平行であるまたは積み重なるように、折り畳まれるまたはそれ自体上に畳まれるようにも構成され、それにより、袋の口開口部を閉構成に保つ（図１０、図１１、図１２、および図１３を参照）。
【００２１】
図１０および図１１に示される実施形態では、カラー本体１２３Ａ、１２３Ｂ、１２３Ｃ、１２３Ｄ、１２３Ｅ、１２３Ｆが畳まれた構成であるとき、４つのカラー本体１２３Ｂ、１２３Ｃ、１２３Ｅ、および１２３Ｆは、２つのカラー本体１２３Ａと１２３Ｂとの間に挟まれる。
【００２２】
図１２に示される実施形態では、カラー本体５２３Ａ、５２３Ｂ、５２３Ｃ、５２３Ｄ、５２３Ｅがそれ自体上に畳まれるとき、２つのカラー本体５２３Ｂおよび５２３Ｃが、カラー本体５２３Ａと５２３Ｄの間に挟まれる。小さいカラー本体５２３Ｅは単に、カラー本体５２３Ａと５２３Ｄの間の連結片として作用する。
【００２３】
図１３に示される実施形態では、カラー本体６２３Ａ、６２３Ｂ、６２３Ｃ、および６２３Ｄがそれ自体上に畳まれるとき、２つのカラー本体６２３Ｂおよび６２３Ｃが、カラー本体５２３Ａと５２３Ｄの間に挟まれる。
【００２４】
いくつかの企図される実施形態、例えば図２に示される実施形態では、カラー本体１２３Ａ、１２３Ｂ、１２３Ｃ、１２３Ｄ、１２３Ｅ、１２３Ｆのうちの少なくとも１つは指部１２９を有する。図２では、カラー本体１２３Ｄが、係止ノッチ１２８の一部として形成された指部１２９を有する。「指部」１２９という用語は、その構造を特定の幅、長さ、形状、または角度に限定しないことに留意すべきである。指部１２９は、任意の突起とすることができる。図２の実施形態では、指部１２９は、カラー本体１２３Ｄの一体部分として形成され、実質的に平坦であり、カラー本体１２３Ｄと同一平面上にある。「指部」は、図１４Ａに示されるように、凹状構造部の内側空所よりも狭い入口エリアの一部分とすることもでき、図１４Ａは、凹状構造部５２８を有する係止ノッチを示し、（対向する指部５２９によって形成される）入口は、内側空所よりも狭い。図１４Ｂは、指部６２９を有するＬ形状の係止ノッチ６２８を示す。図１４Ｃは、指部７２９を有するＴ形状の係止ノッチ７２８を示す。
【００２５】
企図される実施形態は、指部１２９の隣に配設された受けチャネル１２７を有することができる。受けチャネル１２７は、様々な幅を有することができ、使い捨て可能な袋の一部分を接触して受けるのに充分なほど幅広くなるように設計される。例えば図９Ａでは、袋１００は、折畳み可能なカラー１２０の後ろに隠れたねじれたネック部を有する。ここで指部１２９は、封入本体１８０の肩部分に配設された孔１８２に引っかかる。孔１８２が指部１２９の周りに巻き付くとき、孔１８２を囲む領域はチャネル１２７に受けられる。図９Ｂに示される別の例では、折畳み可能なカラー２２０の後ろにねじれたネック部が隠れており、封入本体２８０の肩部分に配設されたスリーブ２８２に指部２２９が引っかかる。スリーブ２８２が指部２２９の周りに巻き付くとき、スリーブ２８２の一部分がチャネル２２７に受けられる。この特定の実施形態では、チャネル２２７の幅は、スリーブ２８２をぴったりと受けるほど充分に狭くある必要はない。ここでは指部２２９が、スリーブ２８２にぴったりと対応して挿入される幅を有することのほうがより重要である。それとは反対に、折畳み可能なカラー３２０の後ろに隠されたねじれたネック部を有する図９Ｃに示される別の例では、指部３２９の幅は、チャネル３２７の幅ほど重要ではない。ここでチャネル３２７は、封入本体３８０の肩部分に配設されたストリップ３８２を受け、保持するための狭いスリットである。使用者は、任意選択で、指部３２９の周りにストリップ３８２を繰り返し巻き付けてもよく、それによりストリップ３８２は、折畳み可能なカラー３２０にさらにしっかりと固定されることが可能である。折畳み可能なカラー４２０の後ろに隠されたねじれたネック部を同じく有する図９Ｄに示されるさらなる例では、封入本体４８０の肩部分に配設されたループ４８２に引っかかるように任意のフック状構造部が提供される限り、指部４２９とチャネル４２７の両方の幅は重要ではない。図１４Ａ、図１４Ｂ、および図１４Ｃに関して前述した実施形態などのいくつかの実施形態では、チャネル１２７は、図８Ａおよび図８Ｂに示されるように、ねじれたネック部１８９を受けるのに充分なほど幅広くてもよい。このように使用される場合、孔１８２は使用されないままであり得る。
【００２６】
企図される実施形態は、折畳み可能なカラー１２０に配設された貫通穴１２２を有する折畳み可能なカラー１２０をもつ使い捨て可能な袋１００を開示する。一実施形態では、貫通穴はただ１つであり得る。別の実施形態では、少なくとも２つの貫通穴があり得る（図４を参照）。さらに別の実施形態では、少なくとも３つの貫通穴１２２があり得る（図２を参照）。貫通穴１２２は、廃棄物容器からの何らかの種類の支持構造部がその中を通ることができる開口部であり、それにより折畳み可能なカラー１２０が所望の位置に保たれる。本開示の実施形態のほとんどにおいて貫通穴１２２は円形であるが、他の形状およびサイズも企図される。例えば、廃棄物容器からの何らかの種類の支持構造部を受けるために、図３ではＸ形状の貫通穴が提供される。この例では、カラー本体２２３Ａ、２２３Ｃ、および２２３Ｆは、プラスチックまたは厚紙などの柔軟性のある材料から作ることができ、それにより、廃棄物容器からの任意の支持構造部が、Ｘ形状の貫通穴２２２を押して通ることが可能になる。
【００２７】
本開示は、廃棄容器、および折畳み可能なカラーを有する使い捨て可能な袋を使用した廃棄物管理の方法も含む。袋の口開口部周りに配設された折畳み可能なカラーを有する使い捨て可能な袋を使用することによって、折畳み可能なフレームが、袋の口開口部を廃棄物容器にしっかりと固定するための剛性のまたは半剛性の結合器として作用する。この折畳み可能なカラーは、廃棄物容器上のこれに対応した構造部とともに、袋の口開口部の移動を防ぐように働く。いくつかの実施形態では、折畳み可能なカラーは、廃棄物容器上のこれに対応した構造部とともに、袋の口開口部の移動を防ぐように働く必要はない。例えば、このことは、ゴムバンドと同様の特性を有する柔軟性のあるカラーを使用し、それにより廃棄物容器上に摩擦に基づいてカラーが固定されることによって、実現可能である。
【００２８】
他の実施形態では、折畳み可能なカラーは、予め印付けされた折畳み線を介してそれぞれが互いに枢動可能に折畳み可能な少なくとも２つのカラー本体を有することができる。いくつかの例では、少なくとも４つのカラー本体があり得る。さらに別の実施形態では、少なくとも６つのカラー本体１２３Ａ、１２３Ｂ、１２３Ｃ、１２３Ｄ、１２３Ｅ、１２３Ｆがあり得る。予め印付けされた折畳み線に沿って枢動可能に折畳み可能なカラー本体１２３Ａ、１２３Ｂ、１２３Ｃ、１２３Ｄ、１２３Ｅ、１２３Ｆを使用することによって、折畳み可能なカラーをより小さい輪郭に畳むことが可能になる。
【００２９】
ここで図６を参照すると、図６は、使い捨て可能な袋１００が定位置にない廃棄物容器５００を示す。廃棄物容器５００は、上部５３０と、それに対応した短い円柱形状の構造部５３２と、廃棄物容器の内壁５１５と、ノブ５３４と、ノブのヘッド５３５と、短い円形壁５３７とを有する。使い捨て可能な袋１００が定位置にないことから、短い円形壁５３７によって画成される円形開口部を通して見ることによって、容器の内壁５１５をはっきりと見ることができる。
【００３０】
本開示の企図される方法は、使い捨て可能な袋１００の封入本体１８０部分を、廃棄物容器５００内に置くステップを含む。次に、封入本体１８０と折畳み可能なカラー１２０が、ここで廃棄物容器５００の上部５３０の両側にくるように、折畳み可能なカラー１２０を、廃棄物容器５００の上部５３０を覆うように置く。図７では、封入本体１８０が廃棄物容器５００の内側にあることから、廃棄物容器５００の内壁５１５は、円形壁５３７によって画成された開口部を通して見ても、もはや見えない。その代わりに、円形壁５３７によって画成された開口部を通して見ることによって封入本体１８０の内部を見ることができる。
【００３１】
図７は、開かれて廃棄物容器５００の上部５３０に固定され、それにより折畳み可能なカラー１２０が廃棄物容器５００の上部５３０に対して回転しないようにする、折畳み可能なカラー１２０を示す。折畳み可能なカラー１２０を廃棄物容器５００の上部５３０に固定するステップは、３つの短い円柱５３２を３つの貫通穴１２２に挿入することにより実現できる。図７に示されるように、折畳み可能なカラー１２０は定位置に固定され、廃棄物容器５００の上部５３０から容易に係合解除することができない。図７では、短い円形壁５３７をここでは袋が覆っていることから、それを見ることができない。一実施形態では、折畳み可能なカラー１２０が定位置で上部５３０に固定された後、使用者はノブ５３４を保持し上部５３０を回転させることができ、ひいては折畳み可能なカラー１２０を回転させ、それにより図７に示されるようにネック部１８９にねじりが作られる。いくつかの例では、袋の封入本体１８０を定位置に保持するために、廃棄物容器５００の内側に特定の袋取付け機構がある。さらなる実施形態では、袋取付け機構は、穴１８２（またはスリーブ２８２、ストリップ３８２、ループ４８２）と係合することによって封入本体１８０を保持する。
【００３２】
使い捨て可能な袋１００が一杯で、廃棄物容器５００から取り除かれる準備ができたとき、廃棄物容器５００に設けられた特徴部の部分に応じて、これを達成する様々な方法があり得る。議論を目的として、示される図６および図７では簡単なバージョンの廃棄物容器５００が使用されることを仮定する。企図される取外し方法は、折畳み可能なカラー１２０を廃棄物容器５００の上部５３０から解放するステップを含む。このことは単に、短い円柱５３２がもはや貫通穴１２２に挿入されないように折畳み可能なカラー１２０を上向きに引くことを意味する。次いで折畳み可能なカラー１２０を、図１０、図１１、図１２、および図１３に示されるようにより小さい輪郭に畳み、次いで畳まれた折畳み可能なカラー１２０を、短い円形壁５３７によって画成された円形開口部を通って下向きに通す。
【００３３】
ここで使用者は、廃棄物容器５００から上部５３０を持ち上げることによって、廃棄物容器５００の上部５３０を取り外すことができる。一実施形態では、この上部５３０は廃棄物容器５００にヒンジ連結され、使用者が袋１００を利用することができるように、枢動して開くことができる。別の実施形態では、使用者が袋１００を利用することができるように、この上部５３０は、廃棄物容器５００から完全に分離することができる。
【００３４】
ここで上部５３０がなくなった状態で、袋１００を廃棄物容器５００から取り除く準備ができる。廃棄物容器５００のいくつかの実施形態では、使い捨て可能な袋１００のネック部１８９は、すでにねじれた構成で保たれている。廃棄物容器５００の他の実施形態では、使い捨て可能な袋１００のネック部１８９は、ねじれた構成で保たれておらず、使用者は、折畳み可能なカラー１２０か封入本体１８０かのどちらかを互いに反対に回転させることによって、このねじれたネック部の構成を作る必要がある。
【００３５】
企図される方法の重要なステップは、前述したように袋のねじれたネック部１８９または肩部分のいずれかに接触して係合するための折畳み可能なカラー１２０からの係止ノッチ１２８または指部１２９を使用して、ネック部１８９がほどけないようにするステップを含む。
【００３６】
ここで袋１００は、そのネック部１８９においてしっかりとねじれて閉じられ、ほどけることが防止され、使用者は廃棄物容器５００から袋１００を取り除くことができる。
【００３７】
本明細書における議論のほとんどは、折畳み可能であるカラーに関するが、いくつかの実施形態はいかなる折畳み線も必要としないことを、特に認識すべきである。図１５では、使い捨て可能な袋は、折畳み線のないカラー８２０を有することができる。カラーは、廃棄物容器５００の上部５３０の対応する構造部５３２と係合するための貫通穴８２２を有することができる。図１５では、カラー８２０は、上部５３０から持ち上げられており、短い円形壁５３７によって画成された円形開口部に挿入される準備ができている。
【００３８】
図１６は、柔軟性のある材料から作られた図１５からのカラー８２０を示し、それによりカラー８２０は、変形しまたは曲がり、短い円形壁５３７によって画成された円形開口部を下向きに通るように構成される。とりわけ図１６において、ネック部８８９はねじれていない。使用者がカラー８２０を上部５３０から取り外すときにネック部８８９がねじれているか否かは、ノブ５３４を使用して上部５３０を回転させることによって、使用者が最初にネック部８８９をねじったかどうかに依存する。
【００３９】
図１７は、いかなる折畳み線もない同じカラー８２０を示す。この例では、カラー８２０は、廃棄物容器の上部に利用可能に作られたスロット開口部９７７を容易に下向き通ることができることから、カラー８２０は柔軟性のある材料から作られても作られなくてもよい。廃棄物容器の上部は、同様にそれに対応した構造部９３２と、短い円形壁９３７と、上部を回転させるノブ９３４とを有する。
【００４０】
このように、折畳み可能なカラーを有する使い捨て可能な袋の特定の実施形態および応用例が開示された。しかし、すでに記述されたものの他に、本明細書における本発明の概念から逸脱することなくより多くの修正が可能であることが、当業者には明らかである。したがって実施形態は、添付された特許請求の範囲の趣旨以外において制限されるべきではない。さらに本明細書と特許請求の範囲の両方を解釈する際に、すべての用語は文脈に沿った最も広い可能な態様で解釈されるべきである。特に用語「備える（ｃｏｍｐｒｉｓｅｓ）」および「備える（ｃｏｍｐｒｉｓｉｎｇ）」は、非排他的な態様で要素、構成要素、またはステップを参照するものであり、参照された要素、構成要素、またはステップが、明示的に参照されていない他の要素、構成要素、またはステップとともに存在する、または活用される、またはそれらと組み合わされることを示すものであると解釈されるべきである。当業者から見て、請求された主題からの非実質的な変更は、現在知られているものでも今後案出されるものでも、特許請求の範囲内の均等物であると明示的に企図される。したがって、当業者にとって現在知られているまたは今後知られる自明の置換は、定義された要素の範囲内にあるものと定義される。したがって特許請求の範囲は、具体的に上で例示および記述されたもの、概念的に等価なもの、明らかに置換され得るもの、および本開示の本質的な概念を本質的に組み込んだものを含むものとして理解されるべきである。加えて、本明細書および特許請求の範囲において、Ａ、Ｂ、Ｃ・・・およびＮから成るグループから選択されたある物のうちの少なくとも１つが参照される場合、文章は、ＡとＮまたはＢとＮなどではなくそのグループから１つの要素だけを必要としているものとして解釈されるべきである。
【００４１】
本開示の趣旨および範囲から逸脱することなく、多くの代替および修正が、当業者によって行なわれてもよい。したがって例示される実施形態は、例示を目的としてのみ記述されていること、およびその実施形態が、以下の特許請求の範囲によって定義されるような本開示を制限するものとしてとらえられるべきではないことが、理解されるべきである。例えば、特許請求の範囲の要素が特定の組合せで以下に記述されているにも関わらず、本開示は、そのような組合せで当初特許請求されていない場合でも、本明細書において開示される要素より少数の、より多数の、またはそれとは異なる要素の他の組合せを含むことが、明示的に理解されなくてはならない。
【図１】
2018527270.tif 000003
【図２】
2018527270.tif 000004
【図３】
2018527270.tif 000005
【図４】
2018527270.tif 000006
【図５】
2018527270.tif 000007
【図６】
2018527270.tif 000008
【図７】
2018527270.tif 000009
【図８Ａ】
2018527270.tif 000010
【図８Ｂ】
2018527270.tif 000011
【図９Ａ】
2018527270.tif 000012
【図９Ｂ】
2018527270.tif 000013
【図９Ｃ】
2018527270.tif 000014
【図９Ｄ】
2018527270.tif 000015
【図１０】
2018527270.tif 000016
【図１１】
2018527270.tif 000017
【図１２】
2018527270.tif 000018
【図１３】
2018527270.tif 000019
【図１４Ａ】
2018527270.tif 000020
【図１４Ｂ】
2018527270.tif 000021
【図１４Ｃ】
2018527270.tif 000022
【図１５】
2018527270.tif 000023
【図１６】
2018527270.tif 000024
【図１７】
2018527270.tif 000025
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
廃棄物容器用の使い捨て可能な袋であって、
内部空間を有する本体部分と、
前記本体部分に結合されたネック部分と、
前記使い捨て可能な袋の、前記ネック部分に結合された上側リムによって画成される口開口部と、
前記上側リム上にまたはその近くに、前記上側リムの全円周に沿って固定されたカラーと、
を備え、
前記カラーが、指部および係止ノッチを有し、
前記カラーが、平らな円形のディスクであり、前記本体部分の長手方向軸に垂直な平面を有し、
前記カラーが折畳み可能に構成され、連続して連結された少なくとも４つのカラー本体から成り、前記カラー本体が、折畳み線を介して互いに枢動可能に連結された平坦なパネルであり、前記カラー本体が、枢動可能に開いて同一平面の構成になり、それにより前記袋の前記口開口部を開構成に保つように構成され、前記カラー本体は、前記カラー本体が互いに平行になるように枢動可能に折り畳まれて畳まれた構成になり、それにより前記袋の前記口開口部を閉構成に保つようにも構成され、
前記本体部分が、前記袋の中央線より上の前記袋の上側半分に配設された少なくとも１つの捕捉部材を有し、前記中央線が、前記袋の上端と下端との両方から等距離にあり、前記少なくとも１つの捕捉部材が前記指部を受けるように構成され、前記捕捉部材が、孔、補強された孔、スリーブ、ストリップ、およびループから成るグループから選択されることを特徴とする、袋。
【請求項２】
請求項１に記載の袋であって、前記カラー本体が前記畳まれた構成であるとき、４つの前記カラー本体が、２つの前記カラー本体の間に挟まれることを特徴とする、袋。
【請求項３】
請求項１に記載の袋であって、前記カラーが、前記廃棄物容器の上部と分離可能な係合を成すように構成された受け構造部を有することを特徴とする、袋。
【請求項４】
請求項３に記載の袋であって、前記受け構造部が、前記カラー上に少なくとも１つの貫通穴を含むことを特徴とする、袋。
【請求項５】
請求項１に記載の袋であって、前記係止ノッチが、
（ａ）Ｔ形状の切欠き部
（ｂ）Ｌ形状の切欠き部
（ｃ）凹形状構造部の内側空所よりも入口のほうが狭い凹形状構造部
のうちの少なくとも１つであることを特徴とする、袋。
【請求項６】
請求項５に記載の袋であって、前記カラーが予め印付けされた折畳み線を有し、前記カラー本体が、互いに対して折畳み可能であることを特徴とする、袋。
【請求項７】
廃棄物容器用の使い捨て可能な袋であって、
内部空間を有する本体部分と、
前記本体部分に結合されたネック部分と、
前記使い捨て可能な袋の、前記ネック部分に結合された上側リムによって画成される開口部と、
いかなる折畳み線もない円形ディスクのカラーであって、前記カラーが、前記上側リムにまたはその近くに、前記上側リムの全円周に沿って結合された、円形ディスクのカラーと、
を備え、
前記本体部分が、孔、補強された孔、スリーブ、ストリップ、およびループから成るグループから選択された少なくとも１つの捕捉部材を有し、
前記捕捉部材が、前記袋のねじられたネック部の周りに、または前記袋の別の部分の周りに引っかかることを特徴とする、袋。
【請求項８】
請求項７に記載の袋であって、前記カラーが平らであり、前記カラーが、少なくとも１つの貫通穴を有することを特徴とする、袋。
【請求項９】
請求項７に記載の袋であって、前記カラーが円形で平らであり、柔軟性のある材料から作られることを特徴とする、袋。
【請求項１０】
請求項８に記載の袋であって、カラー本体のうちの１つが、係止ノッチを有することを特徴とする、袋。
【請求項１１】
請求項８に記載の袋であって、前記係止ノッチが、指部および受けチャネルを有することを特徴とする、袋。
【国際調査報告】
2018527270.tif 000026